(57)【要約】【課題】  ホースを、ホース接続具のホース接続部に締め付け固定するための固定用部材の内部通孔にスムースに挿通することができて、かつ、同固定用部材によってホース接続部にしっかりと締め付け固定できるホース接続具のホース接続部構造を提供できるようにする。【解決手段】  ホース３を、ホース接続具たる本体２のホース接続部１に締め付け固定する筒状の固定用部材５における通孔１２を両開口間においてほぼ等しい内径にして、本体２に固定用ナット９を螺挿して行くことによってホース接続部１に嵌挿したホース３を締め付け固定する際に、固定用部材５の内壁面８によってホース３の外周面４を広く押圧して、ホース３をホース接続部１に締め付けて固定する。【選択図】  図１
2011058571.tif 000002
【特許請求の範囲】
【請求項１】
所定のホースを接続する筒状のホース接続部を有する本体と、同ホース接続部の外周に嵌挿したホースの同嵌挿部分外周に位置しかつ別部材の操作により従動して同ホースの外周面を内方に押圧する固定用部材と、本体に有する雄ねじ部に対の雌ねじ部を有して同雌ねじ部を螺挿して行くことにより固定用部材をホースの外周面方向に移動させる固定用ナットよりなるホース接続具において、前記固定用ナットをセットしたホースの同開口をホース接続部の外周に嵌挿しかつホースの外周に固定用部材を位置させた状態で同固定用ナットを本体に螺挿して行くと、固定用ナットの内壁に接触する固定用部材がホースの外周面方向に移動し、ホース接続部の外周に嵌挿したホースの外周面に位置する同固定用部材の内壁面が同ホースの外周面を押圧して、ホースをホース接続部に締め付け固定できるように構成してなるホース接続具のホース接続部構造。
【請求項２】
前記固定用部材が、両開口間においてホースを挿通できるほぼ等しい内径の筒体であるとともに両開口縁より反対側の開口縁近傍まで適数のスリットがほぼ平行に設けられており、かつ、前記固定用ナットにおける雌ねじ部の螺挿方向後ろ側の内壁面が、同内壁における螺挿方向の前縁寄りから後縁寄りに渡り徐々に内空間に張り出しており、また、前記筒体における外壁面と前記固定用ナットにおける内壁面が、ほぼ面接触可能な対の面になっている請求項１に記載のホース接続具のホース接続部構造。
【請求項３】
前記固定用部材が、両開口間においてホースを挿通できるほぼ等しい内径の筒体であるとともに両開口に渡り所定幅の切り欠きを有する軸方向断面が略Ｃ字状になっており、かつ、前記固定用ナットにおける雌ねじ部の螺挿方向後ろ側の内壁面が、同内壁における螺挿方向の前縁寄りから後縁寄りに渡り徐々に内空間に張り出しており、また、前記筒体における外壁面と前記固定用ナットにおける内壁面が、ほぼ面接触可能な対の面になっている請求項１に記載のホース接続具のホース接続部構造。
【請求項４】
前記本体のホース接続部外周に、突起を設けて構成してなる請求項１に記載のホース接続具のホース接続部構造。
【請求項５】
前記固定用部材の内壁に、突起を設けて構成してなる請求項１に記載のホース接続具のホース接続部構造。
【発明の詳細な説明】
【技術分野】
【０００１】
本発明は、散水ノズルや水道の蛇口に装着したニップル具に接続するホースコネクタ等のホース接続具におけるホースの接続部構造に関する。
【背景技術】
【０００２】
従来、ホースを散水ノズルやホースコネクタ等のホース接続具に接続する際、これらホース接続具の本体に有する筒状に形成しているホース接続部に嵌挿したホースを、同本体の構成部品として備え、少なくとも一部分の内径を小にできる筒状の固定用部材と同固定用部材をホースの外周面に押圧できる固定用ナットによって前記本体のホース接続部に締め付け固定して接続している（例えば、特許文献１参照）。
【０００３】
そして、固定用部材と固定用ナットは、ホースをホース接続部の外周に嵌挿する前に同ホースにセットしておくのであるが、固定用部材においては、ホースを前記本体の接続部に確実に締め付け固定するため、同固定用部材たる筒体における一方の開口端部寄りの内壁周囲に筒体の内空間に突出する突起を設けていて、この突起をホースの外周面に食い込ませることによって同ホースを本体のホース接続部に締め付け固定している。
【０００４】
また突起周囲の内径は、ホースを、前記本体のホース接続部に確実に締め付け固定するために当所よりホースの外径よりも小にしていて、このため、固定用部材をホースにセットする際、同ホースを固定用部材の内部通孔になかなか通すことができず、また、無理やり通そうとすると指や爪等を傷めてしまう恐れもあって、非常にセットのし難いものであった。
【先行技術文献】
【特許文献】
【０００５】
【特許文献１】特開２００１−２００９７０号公報（第１〜５頁、図１〜５）
【発明の概要】
【発明が解決しようとする課題】
【０００６】
本発明の目的とするところは、ホースを、ホース接続具のホース接続部に締め付け固定するための固定用部材の内部通孔にスムースに挿通することができて、かつ、同固定用部材によってホース接続部にしっかりと締め付け固定できるホース接続具のホース接続部構造を提供できるようにする。
【課題を解決するための手段】
【０００７】
上述した課題を解決するために、本発明に係るホース接続部の構造は、所定のホースを接続する筒状のホース接続部を有する本体と、同ホース接続部の外周に嵌挿したホースの同嵌挿部分外周に位置しかつ別部材の操作により従動して同ホースの外周面を内方に押圧する固定用部材と、本体に有する雄ねじ部に対の雌ねじ部を有して同雌ねじ部を螺挿して行くことにより固定用部材をホースの外周面方向に移動させる固定用ナットよりなるホース接続具において、前記固定用ナットをセットしたホースの同開口をホース接続部の外周に嵌挿しかつホースの外周に固定用部材を位置させた状態で同固定用ナットを本体に螺挿して行くと、固定用ナットの内壁に接触する固定用部材がホースの外周面方向に移動し、ホース接続部の外周に嵌挿したホースの外周面に位置する同固定用部材の内壁面が同ホースの外周面を押圧して、ホースをホース接続部に締め付け固定できるように構成したものとしてある。
【０００８】
また、前記固定用部材が、両開口間においてホースを挿通できるほぼ等しい内径の筒体であるとともに両開口縁より反対側の開口縁近傍まで適数のスリットがほぼ平行に設けられており、かつ、前記固定用ナットにおける雌ねじ部の螺挿方向後ろ側の内壁面が、同内壁における螺挿方向の前縁寄りから後縁寄りに渡り徐々に内空間に張り出しており、また、前記筒体における外壁面と前記固定用ナットにおける内壁面が、ほぼ面接触可能な対の面になっているものとしてある。
【０００９】
また、前記固定用部材が、両開口間においてホースを挿通できるほぼ等しい内径の筒体であるとともに両開口に渡り所定幅の切り欠きを有する軸方向断面が略Ｃ字状になっており、かつ、前記固定用ナットにおける雌ねじ部の螺挿方向後ろ側の内壁面が、同内壁における螺挿方向の前縁寄りから後縁寄りに渡り徐々に内空間に張り出しており、また、前記筒体における外壁面と前記固定用ナットにおける内壁面が、ほぼ面接触可能な対の面になっているものとしてある。
【００１０】
また、前記本体のホース接続部外周や固定用部材の内壁に、突起を設けて構成したものとしてある。
【発明の効果】
【００１１】
本発明に係るホース接続具のホース接続部構造によれば、本体のホース接続部に接続したホースを固定する際、固定用部材の内壁面によってホースの外周面を広く押圧して同ホースをホース接続部に締め付け固定するので、従来のように、固定用部材の内壁周囲にホースの外周面に食い込ませるための突起を設ける必要がなく、したがって、固定用部材の内壁面をフラットにすることができて、固定用部材をホースにセットする際、同ホースを固定用部材の内部通孔にスムースに通すことができる。
【００１２】
これにより、固定用部材をホースにセットする際に指や爪等を傷めてしまう恐れもなく、ホースを安全にかつ容易にセットすることができ、またホースの固定も、固定用部材の内壁面によってホースの外周面を広く押圧するので、同ホースをホース接続口にしっかりと締め付け固定することができる。
【００１３】
そして、ホース接続部に接続したホースをよりしっかりと固定できるようにするための突起を必要に応じて固定用部材の内壁に設ける場合でも、本突起を補助的なものとして設けることができるので、従来のように、突起を食い込ませることによってホースをホース接続部に固定するものに比して、突起の突出高さを大に高くする必要はなく、したがって、固定用部材の内部通孔にホースを通す際も同突起によって挿通が妨げられることもなく、同ホースを内部通孔にスムースに通すことができる。
【図面の簡単な説明】
【００１４】
【図１】本発明に係るホース接続部の構造を有するホースコネクタの一例を示す分解斜視図。
【図２】図１に示した分解状態におけるホースコネクタの断面図。
【図３】ホースの固定操作過程を示すホースコネクタの断面図。
【図４】固定用部材の一例を示す斜視図。
【図５】ホース接続部の一例を示す斜視図。
【発明を実施するための形態】
【００１５】
本発明に係るホース接続具のホース接続部構造を、以下、添付図面に基づいて説明する。
【実施例】
【００１６】
図１は、本発明に係るホース接続部の構造を有するホース接続具たるホースコネクタの一例を示していて、ホースコネクタは、所定のホースを接続する筒状のホース接続部１を有する本体２と、前記ホース接続部１の外周に嵌挿したホース３の外周面４を内方に押圧する固定用部材５と、本体２に有する雄ねじ６に対の雌ねじ７を有し前記固定用部材５の内壁面８をホース３の外周面４に押圧させる固定用ナット９より構成されている。
【００１７】
また、固定用部材５は、両開口間においてホースを挿通できるほぼ等しい内径の通孔１２を有する筒体であるとともに両開口縁より反対側の開口縁近傍まで適数のスリット１３がほぼ平行に設けられている。
【００１８】
また、固定用ナット９における雌ねじ７の螺挿方向後ろ側の内壁面１１は、内壁１１における螺挿方向の前縁寄りから後縁寄りに渡り徐々に内空間に張り出している（図２参照）。
【００１９】
また、前記筒体たる固定用部材５における外壁面１４と固定用ナット９における内壁面１１が、ほぼ面接触可能な対の面になっている（図２参照）。
【００２０】
したがって、上述のように構成した本ホース接続部構造の作用を図３にて説明すると、先ずは、図３中の（ａ）図に示すように、ホース３に固定用部材５および固定用ナット９をセットする。
【００２１】
次いで、図３中の（ｂ）図に示すように、固定用部材５および固定用ナット９をセットしたホース３の開口を、ホース接続具たる本体２のホース接続部１の外周に嵌挿する。
【００２２】
次いで、図３中の（ｃ）図に示すように、固定用部材５を本体２寄りに移動させて、ホース接続部１上に位置するホース３上に位置させる。
【００２３】
次いで、図３中の（ｄ）図に示すように、固定用ナット９を本体２寄りに移動させて固定用部材５に被せ、固定用ナット９の雌ねじ７を本体２の雄ねじ６に螺挿して行く。
【００２４】
これにより、図３中の（ｅ）図に示すように、固定用ナット９を螺挿して行くことで、固定用部材５の外壁面１４に固定用ナット９の内壁面１１が当接して固定用部材５をホース３の外周面４方向に移動させ、かつこの移動により固定用部材５に有する各スリット１３の間隙が小になって行くとともに通孔１２の径が小になって行き、固定用部材５の内壁面８がホース３の外周面４を押圧して行ってホース３をホース接続部１に締め付けて固定する。
【００２５】
また、上述した実施例の固定用部材５は、この固定用部材５の両開口縁より反対側の開口縁近傍まで適数のスリット１３をほぼ平行に設けることによって固定用部材５の通孔１２径を小にできるようにしているものであるが、図４に示すように、固定用部材５´の両開口に渡り所定幅の切り欠き１５を設けて、前述のように固定用ナット９によって固定用部材５´がホース３の外周面４方向に移動した際に、固定用部材５´に有する切り欠き１５の間隙が小になることによって通孔１２´の径が小になり、固定用部材５´の内壁面１６がホース３の外周面４を押圧して行ってホース３をホース接続部１に締め付けて固定できるようにする場合もある。
【００２６】
そして、図４に示すように、必要に応じて固定用部材５´の内壁１６に突起１７を配設したり、また、図５中の（ａ）（ｂ）に示すように、必要に応じて本体２のホース接続部１に突起１７を配設する場合もある。
【符号の説明】
【００２７】
１  ホース接続部
２  本体
３  ホース
４  外周面
５  固定用部材
５´  固定用部材
６  雄ねじ
７  雌ねじ
８  内壁面
９  固定用ナット
１０  外周面
１１  内壁面
１２  通孔
１２´  通孔
１３  スリット
１４  外壁面
１５  切り欠き
１６  内壁面
１７  突起
【図１】
2011058571.tif 000003
【図２】
2011058571.tif 000004
【図３】
2011058571.tif 000005
【図４】
2011058571.tif 000006
【図５】
2011058571.tif 000007